(57)【要約】【課題】筆記時において、筆記芯７０に高い筆圧が加えられた際には、軸筒１０に対して口金５２が当該軸筒１０の径方向にスライドすることで、当該筆記芯７０の折損が回避されると共に、紙面２００と筆記芯７０との接触による衝撃や、口金５２が径方向にスライドする際に動く部材同士が互いに接触することにより生じる振動を、使用者がガサツキとして感じ難い構造のシャープペンシル１００を得る。【解決手段】芯繰出ユニット４０の前方領域５２ａが軸筒１０内において撓み変形あるいは傾動する前においては、押圧部３２と被押圧部５３とが互いに当接しており、芯繰出ユニット４０の前方領域５２ａが軸筒１０内において撓み変形あるいは傾動する際には、押圧部３２が被押圧部５３を軸筒１０に対して軸方向後方に相対移動させるようになっているシャープペンシル１００であって、軸筒１０の把持部３０ａに、弾性体からなる振動吸収体１１０が配設される。【選択図】図４
2020116780.tif 000002
【特許請求の範囲】
【請求項１】
軸筒と、
前方領域が前記軸筒内において撓み変形可能あるいは傾動可能であるように後方領域が前記軸筒内に支持された、筆記芯を繰り出すための芯繰出ユニットと、
前記芯繰出ユニットの前方領域の外周面に設けられた張出部と、
前記軸筒の前記張出部よりも軸方向後方の内周面に設けられた突出部と、
前記張出部と前記突出部との間に圧縮状態で配置された伸縮可能な弾性体と、
を備え、
前記芯繰出ユニットの先端領域に配置され、当該芯繰出ユニットに対して前記軸筒の軸方向に相対移動可能な口金を更に備え、
前記芯繰出ユニットは、前記口金によって前端部が取り囲まれた芯繰出ユニット本体と、前記口金を当該芯繰出ユニット本体に抜け止め状態で保持するための保持部材と、を有しており、
前記芯繰出ユニットは、前記保持部材に被押圧部を有しており、
前記軸筒は、前方領域に押圧部を有しており、
前記押圧部と前記被押圧部との少なくとも一方は、軸方向後方に向かって次第に大径となるテーパ面であり、
前記口金は、
前記軸筒の前端から軸方向前方に突出し、前記芯繰出ユニットから繰り出される前記筆記芯を取り囲む、筒状の前方領域と、
前記前方領域の、前記軸筒の軸方向後方に設けられ、当該軸筒の径方向外方に広がる肩部と、
を有し、
前記軸筒は、前記肩部よりも前記軸筒の軸方向前方に当該軸筒の径方向内方に張り出した内鍔を有し、
前記肩部と前記内鍔とが接触し、
前記芯繰出ユニットの前方領域が前記軸筒内において撓み変形あるいは傾動する前においては、前記押圧部と前記被押圧部とが互いに当接しており、前記芯繰出ユニットの前方領域が前記軸筒内において撓み変形あるいは傾動する際には、前記押圧部が前記被押圧部を当該軸筒に対して軸方向後方に相対移動させるようになっている
シャープペンシルであって、
前記軸筒の把持部に、弾性体からなる振動吸収体が配設されることを特徴としたシャープペンシル。
【請求項２】
前記振動吸収体が前記軸筒の全周に配設されたグリップであることを特徴とした請求項１に記載のシャープペンシル。
【請求項３】
筆記時において、前記軸筒の把持部における筆記面と反対側に位置する前記振動吸収体が、前記筆記面に向かって弾性変形することを特徴とした請求項１または２に記載のシャープペンシル。
【発明の詳細な説明】
【技術分野】
【０００１】
本発明は、ノック操作等により筆記芯を所定量だけ口金の先端から繰り出すことにより筆記が可能なシャープペンシルに関する。
【背景技術】
【０００２】
従来より、シャープペンシルを用いて筆記を行う際に筆記芯に高い筆圧が加えられると、口金の先端から露出された筆記芯が容易に折損してしまう、という問題があった。筆記芯の折損は、筆圧が一定であれば、シャープペンシルの軸筒の軸方向と紙面とのなす角度が小さくなるほど（軸筒を寝かせるほど）、あるいは、口金の先端から露出される筆記芯の長さが長くなるほど、顕著である。
【０００３】
このような問題に対し、特許文献１（特開２０１５−１２３６８９）には、筆記芯に高い筆圧が加えられた際に、筆圧の軸方向の成分と筆圧の当該軸方向に垂直な成分とをそれぞれ異なる機構により吸収して筆記芯の折損を低減させる、というシャープペンシルが記載されている。
【０００４】
具体的には、特許文献１のシャープペンシルは、口金が弾性体（スプリング）を介して軸筒に支持されており、当該口金は、軸筒の軸線方向後方に向かって次第に小径となるカム斜面を有している。また、軸筒には、カム斜面を軸筒の軸線方向前方に押圧する押圧部が形成されている。このような構成により、軸筒の軸線方向と直交する方向における筆圧の成分（軸筒径外方向の力）に起因して、口金のカム斜面が押圧部によって軸筒の軸線方向前方に押圧されて、軸筒の先端から口金が前方にスライドする（飛び出す）。これにより、口金の先端から露出される筆記芯の長さが減少されるようになっている。
更に、特許文献１のシャープペンシルは、筆記芯を繰り出す芯繰出ユニットが、弾性体（スプリング）によって軸線方向前方（軸線方向における口金の前端方向）に付勢された状態で、軸筒の軸線方向に相対移動可能な状態で当該軸筒に支持されている。そして、筆記芯を含む芯繰出ユニットが軸筒の軸線方向後方に相対移動することによって、筆圧の軸線方向の成分が吸収される。この結果、口金の先端から露出される筆記芯の長さが一層減少されて、筆記芯の折損が低減されるようになっている。
【０００５】
特許文献１に記載されているシャープペンシルでは、筆記芯に高い筆圧が加えられた際に、軸筒に対して口金が前方にスライドできる最大の長さ（ストローク）に亘って当該口金が一気にスライドする（飛び出す）ようになっている。
【０００６】
これに対して、本件出願人は、筆記芯に高い筆圧が加えられた際に、軸筒に対して口金が当該軸筒の径方向にスライドし、且つ、口金に対して筆記芯が後方にスライドするシャープペンシルの構成を開発し、国際出願ＰＣＴ／ＪＰ２０１６／０６８８６３として出願した。前記シャープペンシルでは、筆記芯の折損を効果的に回避することができ、また、口金が径方向にスライドすることから、筆記時おいて万年筆のペン先のようにしなるような構成となり、滑らかな筆記感を得ることができる。
なお、このペン先がしなるような構造は、筆記時において、紙面と筆記芯との接触による衝撃を緩和する方向に寄与することが研究により判明している。
しかしながら、口金が径方向にスライドする際には、例えば口金と軸筒となど、口金が径方向にスライドする際に動く部材同士が、軸筒の径方向に接触することから、その接触による振動を使用者がガサツキのように感じてしまう場合がある。
【先行技術文献】
【特許文献】
【０００７】
【特許文献１】特開２０１５−１２３６８９号公報
【発明の概要】
【発明が解決しようとする課題】
【０００８】
本発明は、以上のような知見に基づいており、その目的は、筆記時において、筆記芯に高い筆圧が加えられた際には、軸筒に対して口金が当該軸筒の径方向にスライドすることで、当該筆記芯の折損が回避されると共に、紙面と筆記芯との接触による衝撃や、口金が径方向にスライドする際に動く部材同士が互いに接触することにより生じる振動を、使用者がガサツキとして感じ難い構造のシャープペンシルを得ることである。
【課題を解決するための手段】
【０００９】
本発明は、
「１．軸筒と、
前方領域が前記軸筒内において撓み変形可能あるいは傾動可能であるように後方領域が前記軸筒内に支持された、筆記芯を繰り出すための芯繰出ユニットと、
前記芯繰出ユニットの前方領域の外周面に設けられた張出部と、
前記軸筒の前記張出部よりも軸方向後方の内周面に設けられた突出部と、
前記張出部と前記突出部との間に圧縮状態で配置された伸縮可能な弾性体と、
を備え、
前記芯繰出ユニットの先端領域に配置され、当該芯繰出ユニットに対して前記軸筒の軸方向に相対移動可能な口金を更に備え、
前記芯繰出ユニットは、前記口金によって前端部が取り囲まれた芯繰出ユニット本体と、前記口金を当該芯繰出ユニット本体に抜け止め状態で保持するための保持部材と、を有しており、
前記芯繰出ユニットは、前記保持部材に被押圧部を有しており、
前記軸筒は、前方領域に押圧部を有しており、
前記押圧部と前記被押圧部との少なくとも一方は、軸方向後方に向かって次第に大径となるテーパ面であり、
前記口金は、
前記軸筒の前端から軸方向前方に突出し、前記芯繰出ユニットから繰り出される前記筆記芯を取り囲む、筒状の前方領域と、
前記前方領域の、前記軸筒の軸方向後方に設けられ、当該軸筒の径方向外方に広がる肩部と、
を有し、
前記軸筒は、前記肩部よりも前記軸筒の軸方向前方に当該軸筒の径方向内方に張り出した内鍔を有し、
前記肩部と前記内鍔とが接触し、
前記芯繰出ユニットの前方領域が前記軸筒内において撓み変形あるいは傾動する前においては、前記押圧部と前記被押圧部とが互いに当接しており、前記芯繰出ユニットの前方領域が前記軸筒内において撓み変形あるいは傾動する際には、前記押圧部が前記被押圧部を当該軸筒に対して軸方向後方に相対移動させるようになっている
シャープペンシルであって、
前記軸筒の把持部に、弾性体からなる振動吸収体が配設されることを特徴としたシャープペンシル。
２．前記振動吸収体が前記軸筒の全周に配設されたグリップであることを特徴とした前記１項に記載のシャープペンシル。
３．筆記時において、前記軸筒の把持部における筆記面と反対側に位置する前記振動吸収体が、前記筆記面に向かって弾性変形することを特徴とした前記１項または２項に記載のシャープペンシル。」である。
【００１０】
本発明によれば、筆記芯に高い筆圧が加えられた際に、筆圧の軸方向に垂直な成分によって、芯繰出ユニットの前方領域が軸筒内において撓み変形可能あるいは傾動される。これにより、筆記芯を含む芯繰出ユニットが弾性体の付勢力に対抗して軸筒に対して軸方向後方に相対移動されるため、口金の先端から露出される筆記芯の長さが減少される。更に、筆圧の軸方向の成分によって、筆記芯を含む芯繰出ユニットが弾性体の付勢力に対抗して軸筒に対して軸方向後方に更に相対移動され、口金の先端から露出される筆記芯の長さが一層減少される。これらのことにより、筆記芯に高い筆圧が加えられた際に当該筆記芯の折損が回避される。また、この時、口金が軸筒に対して軸方向前方に相対移動される（飛び出す）のではなく、筆記芯を含む芯繰出ユニットが口金に対して軸方向後方に相対移動されることによって、当該口金から露出される筆記芯の長さが減少される。このことにより、筆記感が滑らかなシャープペンシルが得られる。
【００１１】
また本発明では、軸筒の把持部に、弾性体からなる振動吸収体が配設されることにより、高い筆圧が加えられた際に、口金が径方向にスライドする際に動く部材同士が互いに接触することにより生じる振動を、使用者がガサツキとして感じ難い構造のシャープペンシルが得られる。
本発明における振動吸収体を成形する材質としては、ゴム弾性を有する、天然ゴム、ウレタンゴム、シリコーンゴム、フッ素ゴム、ブチルゴム、エチレン・プロピレンゴム、イソプロピレンゴム、ブタジエンゴム、スチレン系エラストマー、オレフィン系エラストマー、ウレタン系エラストマー、あるいはゲル状の弾性体やスポンジ状の弾性体を用いることができる。
【００１２】
振動吸収体は、少なくとも軸筒を把持する指が当接する位置に配設されるが、更に、軸筒の把持部における全周に配設することで、筆記具におけるグリップとなり、この場合には表面が滑り難いような材料選定や表面形態とすることで、滑り止めとしての高い効果を得ることができ、筆記感が向上する。
【００１３】
更に、筆記時において、軸筒の把持部における筆記面と反対側に位置する振動吸収体が、筆記面に向かって弾性変形する構造とすることで、筆記芯に高い筆圧が加えられた際に、軸筒に対して口金が当該軸筒の径方向にスライドすることで、当該筆記芯の折損が回避されると共に、軸筒の把持部における筆記面と反対側に位置する振動吸収体が、筆記面に向かって弾性変形することから、高い筆圧による筆記芯の折損をより効果的に回避することができるものとなる。この場合には、振動吸収体に、天然ゴム、ウレタンゴム、シリコーンゴム、フッ素ゴム、ブチルゴム、エチレン・プロピレンゴム、イソプロピレンゴム、ブタジエンゴム、スチレン系エラストマー、オレフィン系エラストマー、ウレタン系エラストマーなどの弾性材料を用い、その硬度は、ショアＡ硬度においては１０度から９０度の範囲で、アスカーＣ硬度においては１０度から９０度の範囲で設定することが好ましい。
【発明の効果】
【００１４】
本発明によれば、筆記時において、筆記芯に高い筆圧が加えられた際には、軸筒に対して口金が当該軸筒の径方向にスライドすることで、当該筆記芯の折損が回避されると共に、紙面と筆記芯との接触による衝撃や、口金が径方向にスライドする際に動く部材同士が軸筒の径方向に接触する際の振動が、振動吸収体により減衰されることにより、使用者がガサツキを感じ難い構造のシャープペンシルを得ることができる。
【図面の簡単な説明】
【００１５】
【図１】本実施形態のシャープペンシルの概略縦断面図である。
【図２】筆記芯に筆圧が加えられていない場合の、図１のシャープペンシルの前方領域の概略縦断面図である。
【図３】筆記芯に筆圧が加えられている場合の、図１のシャープペンシルの前方領域の概略縦断面図である。
【図４】図３の部分拡大図である。
【発明を実施するための形態】
【００１６】
図１は、本実施形態のシャープペンシル１００の概略縦断面図であり、図２は、筆記芯７０に筆圧が加えられていない場合の、図１のシャープペンシル１００の前方領域の概略縦断面図であり、図３は、筆記芯７０に筆圧が加えられている場合の、図１のシャープペンシル１００の前方領域の概略縦断面図である。図４は、図３の部分拡大図である。
【００１７】
本実施形態のシャープペンシル１００は、図１乃至図３に示すように、軸筒１０と、軸筒１０内に支持され、前方領域が当該軸筒１０内において傾動可能な、筆記芯７０を繰り出すための芯繰出ユニット４０と、を備えている。本実施の形態の軸筒１０は、透明なポリカーボネート製であり、後軸２０と、後方領域が後軸２０の前方領域に固定（螺着）された前軸３０と、により構成されている。
【００１８】
本実施の形態の芯繰出ユニット４０は、軸筒１０の内部で当該軸筒１０の軸方向に延在するポリプロピレン製の芯パイプ４１と、芯パイプ４１の前端部にコネクタ４９を介して固定された黄銅製のチャック４３と、チャック４３の前方領域に外嵌された黄銅製の締めリング４２と、チャック４３を取り囲む外筒４５と、外筒４５に対して芯パイプ４１を軸方向後方に付勢するリターンスプリング４４と、を有している。
【００１９】
具体的には、図２及び図３に示すように、外筒４５は、前方領域の内周面においてチャック４３を支持すると共に後方領域の外周面に張り出したフランジ４５ｃ（張出部）を有する後筒４５ａと、後筒４５ａの前端領域に螺着されチャック４３の前端部を超えて軸方向前方に延在する前筒４５ｂと、を有している。また、後筒４５ａは、前端部に、内鍔４５ｄを有しており、この内鍔４５ｄとコネクタ４９との間にリターンスプリング４４が圧縮状態で配置されており、外筒４５に対して芯パイプ４１を軸方向後方に付勢している。この状態で、チャック４３は、締めリング４２によって締められて筆記芯７０を後退しないように挟持している。
【００２０】
また、軸筒１０（後軸２０）は、外筒４５のフランジ４５ｃよりも軸方向後方の内周面に突出部２１を有しており、この突出部２１とフランジ４５ｃとの間に、伸縮可能なコイルバネ６０が圧縮状態で配置されている。このような構成により、筆記芯７０を含む芯繰出ユニット４０は、コイルバネ６０の付勢力に対抗して軸筒１０に対して軸方向後方への相対移動が可能となっている。
【００２１】
また、前軸３０の後方領域の内径は、フランジ部４５ｃの外径よりも大きくなっており、前軸３０の内周面とフランジ部４５ｃの外周面との間に隙間が形成されている。このことにより、軸筒１０に対する芯繰出ユニット４０の傾動が許容されている。
【００２２】
また、芯繰出ユニット４０の先端領域には、黄銅製の口金５２が取り付けられている。本実施の形態の口金５２は、芯繰出ユニット４０の先端領域に配置され、芯繰出ユニット４０に対して軸筒１０の軸方向に相対移動可能となっている。口金５２は、図２及び図３に示すように、筆記芯７０を案内する筒状の前方領域５２ａと、当該前方領域５２ａよりも大径のスリーブ状の後方領域５２ｂと、によって構成されている。この後方領域５２ｂは、前方の小径部５２ｃと後方の拡径部５２ｄとを有しており、小径部５２ｃと拡径部５２ｄとは肩部５２ｅによって接続されている。
この口金５２は、前筒４５ｂと、当該前筒４５ｂを内嵌固着した筒状の保持部材４０ｂとによって抜け止め状態且つ軸筒１０の軸方向にスライド可能な状態で、芯繰出ユニット本体４０ａの先端領域に取り付けられている。具体的には、図２及び図３に示すように、保持部材４０ｂは、口金５２の後方領域５２ｂを取り囲む筒状の本体部４０ｃと、本体部４０ｃの後端領域に形成されたストッパ４０ｄと、を有している。
本体部４０ｃの内面には、内径が本体部４０ｃの他の領域よりも小さい縮径部４０ｅを有している。この縮径部４０ｅよりも軸方向後方において、外筒４５の外面には軸方向前方を向いた平坦面４５ｅが形成されており、口金５２の肩部５２ｅと平坦面４５ｅの間に、伸縮可能な圧縮状態のスプリング５５が配置されている。
このような構成により、口金５２は、保持部材４０ｂの内部に本体部４０ｃの軸方向にスライド可能に保持され、本体部４０ｃからの不所望な抜け落ちが防止されている。また、本体部４０ｃの前端は開口部となっており、この開口部から口金５２の前方領域５２ａが前方へ突出している。
【００２３】
保持部材４０ｂは、前端部に被押圧部５３を有している。本実施の形態の被押圧部５３は、軸筒１０の軸方向に対して４０°の角度を有するテーパ面として構成されている。また、軸筒１０（前軸３０）は、前方領域に内周面に張り出した押圧部３２を有している。  本実施の形態では、図２に示すように、芯繰出ユニット４０が傾動する前においては、押圧部３２と被押圧部５３とが互いに当接している。そして、図３に示すように、芯繰出ユニット４０が傾動する際に、押圧部３２が被押圧部５３を軸筒１０に対して軸方向後方に相対移動させるようになっている。本実施の形態では、コイルバネ６０のバネ定数は１６００Ｎ／ｍであり、当該コイルバネ６０による付勢力に対抗して被押圧部５３（テーパ面）を軸筒１０に対して軸方向後方に相対移動させるために必要な荷重は、５．０Ｎである。また、コイルバネ５５のバネ定数は１０００Ｎ／ｍであり、コイルバネ６０の付勢力よりコイルバネ５５の付勢力を小さく設定することで、図２に示す外筒４５が静止した状態から、図３に示す外筒４５が動き出す状態まで、口金５２と軸筒１０の内鍔３３との当接状態が維持される。
【００２４】
また、図１に示すように、芯繰出ユニット４０は、芯パイプ４１の後端に取り付けられて芯パイプ４１を外筒４５に対して軸方向前方に押圧するためのノック部４８を、更に有している。本実施の形態のノック部４８は、軸方向前方に、芯パイプ４１の後端領域に外嵌されるスリーブ部４８ａを有しており、軸方向後方に円柱状の消しゴム８０を取外可能に保持するホルダ部４８ｂを有している。スリーブ部４８ａの内部空間とホルダ部４８ｂの内部空間とは、開口によって連通されている。このことにより、消しゴム８０をホルダ部４８ｂから取り外すことによって、当該開口から筆記芯７０を芯パイプ４１内に投入できるようになっている。また、ホルダ部４８ｂには、消しゴム８０の後方を覆うドーム状のノブ８１が取外可能に外嵌されている。
【００２５】
また、本実施の形態では、後軸２０の後端領域に頭冠２３が固定されている。頭冠２３の内周面には軸方向後方に面した段部２３ａが形成されている。また、ホルダ部４８ｂの外周にフランジ部４８ｃが形成されており、このフランジ部４８ｃと段部２３ａとの間に、伸縮可能なスプリング４８ｄが圧縮状態で配置されている。
【００２６】
更に、本実施の形態では、把持部３０ａとなる前軸３０の側面に振動吸収体１１０が配設されている。振動吸収体１１０は円筒形状であり、前軸３０の把持部３０ａが挿通されて該把持部３０ａの全周を被覆してグリップとなる。なお、本実施形態の振動吸収体１１０は、シリコンゴムで成形されており、硬度がショアＡ硬度が７０度であり、前後端を除く肉厚が２．０ｍｍである。振動吸収体１１０の表面１１０ａは滑り止めとなり、それを指で把持することで筆圧が掛けやすくなる。
【００２７】
次に、本発明の実施の形態のシャープペンシル１００の作用について説明する。
【００２８】
まず、紙面に対して筆記を行うに先立ち、必要に応じて、ノブ８１と消しゴム８０とがホルダ部４８ｂから取り外され、スリーブ部４８ａとホルダ部４８ｂとを連通する開口を介して筆記芯７０が芯パイプ４１内に投入される。そして、消しゴム８０とノブ８１とがホルダ部４８ｂに取り付けられ、口金５２の前端が下方に向けられた状態でノック部４８（ノブ８１）が軸方向前方に向かって押圧（ノック）される。これにより、芯パイプ４１、コネクタ４９、チャック４３及び締めリング４２がリターンスプリング４４の付勢力に対抗して前進させられる。この前進の途中で、締めリング４２のみが外筒４５の前筒４５ｂに形成された当接段部４５ｅに当接する。これにより、チャック４３から締めリング４２が後方に外され、当該チャック４３が開放される。この結果、チャック４３から筆記芯７０が所定の長さだけ前方に繰り出される。押圧（ノック）時には、ノック部４８のフランジ部４８ｃと頭冠２３の段部２３ａとの間に配置されたスプリング４８ｄの付勢力によって、適度な抵抗感がもたらされる。
【００２９】
そして、ノック部４８（ノブ８１）の押圧状態が解除されると、芯パイプ４１がチャック４３と共にリターンスプリング４４の付勢力によって後退させられる。これに伴って、締めリング４２が再びチャック４３の前方領域に外嵌され、チャック４３が締められる。これにより、筆記芯７０が後退しないように挟持され、筆記芯７０が繰り出された状態が維持される。そして、この一連の押圧操作が適宜繰り返されることにより、口金５２の先端から筆記芯７０が所望の長さ露出される（繰り出される）（図２参照）。そして、使用者によって前軸３０が把持され、紙面に対して筆記芯７０を当接させつつ軸筒１０を所望に移動させることによって、筆記が行われる。
【００３０】
筆記の際、軸筒１０は、その軸方向が紙面に対して鋭角をなす（図２及び図３参照）ように把持されることが一般的である。このため、筆記芯７０には、軸筒１０の軸方向に垂直な成分と当該軸方向の成分とを含む筆圧が加えられる。本実施の形態のシャープペンシル１００は、筆記時に筆記芯７０に高い筆圧が加えられると、筆圧の軸方向に垂直な成分と軸方向の成分とをそれぞれ吸収して、口金５２の先端から露出された筆記芯７０の折損を回避する。
【００３１】
具体的には、図３に示すように、筆圧の軸方向に垂直な成分によって芯繰出ユニット４０の前方領域が傾動し、前軸３０の押圧部３２によって前筒４５ｂの被押圧部５３が軸筒１０の軸方向後方に押圧される。これにより、コイルバネ６０の付勢力に対抗して、筆記芯７０を含む芯繰出ユニット４０が軸筒１０に対して軸方向後方に相対移動される。一方、口金５２は、コイルバネ５５によって保持部材４０ｂに対して軸方向前方に付勢されているため、軸筒１０に対して軸方向後方には相対移動されない。これらのことにより、口金５２の先端から露出される筆記芯７０の長さが減少される。
【００３２】
これと同時に、筆圧の軸方向の成分によって、筆記芯７０が軸筒１０に対して軸方向後方に押圧され得る。これにより、コイルバネ６０の付勢力に対抗して、筆記芯７０を含む芯繰出ユニット４０が軸方向後方に更に相対移動される。すなわち、口金５２の先端から露出される筆記芯７０の長さが一層減少され得て、当該筆記芯７０の折損が回避される。
【００３３】
そして、筆記芯７０に加えられている筆圧が弱められると、コイルバネ６０の付勢力によって、筆記芯７０を含む芯繰出ユニット４０が軸筒１０に対して軸方向前方に押し戻される。これにより、初期状態（図２参照）が復元される。
【００３４】
以上のような本実施の形態によって、筆記芯７０に高い筆圧が加えられた際に、筆圧の軸方向に垂直な成分によって、芯繰出ユニット４０の前方領域が軸筒１０内において傾動される。これにより、筆記芯７０を含む芯繰出ユニット４０がコイルバネ６０の付勢力に対抗して軸筒１０に対して軸方向後方に相対移動されるため、口金５２の先端から露出される筆記芯７０の長さが減少される。更に、筆圧の軸方向の成分によって、筆記芯７０を含む芯繰出ユニット４０がコイルバネ６０の付勢力に対抗して軸筒１０に対して軸方向後方に更に相対移動され、口金５２の先端から露出される筆記芯７０の長さが一層減少される。これらのことにより、筆記芯７０に高い筆圧が加えられた際に当該筆記芯７０の折損が回避される。また、この時、口金５２が軸筒１０に対して軸方向前方に相対移動される（飛び出す）のではなく、筆記芯７０を含む芯繰出ユニット４０が口金５２に対して軸方向後方に相対移動されることによって、口金５２から露出される筆記芯７０の長さが減少される。このため、口金５２の先端と紙面とが当接した際には、筆圧をわずかに弱めるだけでコイルバネ６０の付勢力によって口金５２から露出される筆記芯７０の長さが速やかに増大されるため、口金５２の先端部５２ｆと紙面との引っ掛かりを速やかに解消することができる。
【００３５】
本実施形態のシャープペンシル１００は、筆記芯７０に高い筆圧が加えられた際には、筆記芯７０の折損が回避されると共に、口金５２が径方向にスライドすることから、筆記時おいて万年筆のペン先のようにしなり、紙面と筆記芯７０との接触による衝撃を緩和して、滑らかな筆記感を得ることができる。
更に、振動吸収体１１０が前軸３０の把持部３０ａに配設されていることから、
口金５２が径方向にスライドする際における、前軸３０の押圧部３２と保持部材４０ｂの被押圧部５３との接触や、口金５２の内面と外筒４５の外面との接触など、部材同士が互いに接触することにより生じる振動が、振動吸収体１１０により減衰され、使用者がガサツキを感じ難くなる。
【００３６】
また更に、図４に示されるように、筆記時において、前軸３０の把持部３０ａにおける筆記面２００と反対側に位置する振動吸収体１１０が、筆記面２００側に向かって弾性変形することから、筆記芯７０に高い筆圧が加えられた際に、前軸３０に対して口金５２が当該前軸３０の径方向にスライドすることで、当該筆記芯７０の折損が回避されると共に、前軸３０の把持部３０ａにおける筆記面２００と反対側に位置する振動吸収体１１０が、筆記面２００に向かって弾性変形することから、高い筆圧による筆記芯７０の折損をより効果的に回避することができる。本実施形態では、前軸３０に対して口金５２が当該前軸３０の径方向に１．０ｍｍ（図中、Ｓ１）をスライドする筆圧が掛かった際に、振動吸収体１１０における筆記面２００の反対側１１０ｂが指に押されて径方向に１．０ｍｍ（図中、Ｓ２）で弾性変形することから、合計２．０ｍｍ分の変位が生じる構造としてある。
これにより、口金５２の径方向へのスライドと、振動吸収体１１０の径方向への弾性変形とにより、筆記時おいて万年筆により近いペン先のしなりを感じることができ、更に滑らかな筆記感を得ることができる。
【符号の説明】
【００３７】
１０  軸筒
２０  後軸
２１  突出部
２３  頭冠
２３ａ  段部
３０  前軸
３０ａ  把持部
３２  押圧部
３３  内鍔
４０  芯繰出ユニット
４０ａ  芯繰出ユニット本体
４０ｂ  保持部材
４０ｃ  本体部
４０ｄ  ストッパ
４０ｅ  縮径部
４１  芯パイプ
４２  締めリング
４３  チャック
４４  リターンスプリング
４５  外筒
４５ａ  後筒
４５ｂ  前筒
４５ｃ  フランジ
４５ｄ  内鍔
４５ｅ  当接段部
４５ｆ  平坦部
４８  ノック部
４８ａ  スリーブ部
４８ｂ  ホルダ部
４８ｃ  フランジ部
４８ｄ  スプリング
４９  コネクタ
５２  口金
５２ａ  前方領域
５２ｂ  後方領域
５２ｃ  小径部
５２ｄ  拡径部
５２ｅ  肩部
５２ｆ  先端部
５２ｇ  貫通孔
５３  被押圧部
５５  スプリング
６０  コイルバネ
７０  筆記芯
８０  消しゴム
８１  ノブ
９０  メッキ層
９１  潤滑メッキ層
９２  スズコバルトメッキ層
１００  シャープペンシル
１１０  振動吸収体
１１０ａ  表面
１１０ｂ  筆記面の反対側
２００  筆記面
【図１】
2020116780.tif 000003
【図２】
2020116780.tif 000004
【図３】
2020116780.tif 000005
【図４】
2020116780.tif 000006